(57)【特許請求の範囲】
【請求項１】
建物に設置され、操作内容に応じた動作を行う設備機器と、
設備側通信部を有し、前記設備機器の操作を行う設備操作端末と、
前記設備操作端末と通信を行う外部側通信部を有し、前記設備機器を間接的に操作する外部操作端末と、を備え、
前記外部操作端末で前記設備機器の操作が行われた場合、
前記外部操作端末は、操作内容を前記設備操作端末に送信し、
前記設備操作端末は、前記外部操作端末から受信した操作内容に基づいて前記設備機器を操作するものであり、
操作項目毎に操作制限を設ける設備管理システムであって、
前記外部操作端末と前記設備操作端末とで操作項目毎の操作可否の情報をそれぞれ保持し、前記外部操作端末で保持している操作項目毎の操作可否の情報と、前記設備操作端末で保持している操作項目毎の操作可否の情報とを同期させる
設備管理システム。
【請求項２】
前記設備操作端末は入力部を備え、
前記設備操作端末は、
前記入力部から入力操作を受け付けている間、前記外部操作端末の操作を受け付けない
請求項１に記載の設備管理システム。
【請求項３】
前記設備操作端末は表示部を備え、
前記外部操作端末が前記設備操作端末と接続された場合、
前記設備操作端末の前記表示部に前記外部操作端末と接続されたことを表示する
請求項１または２に記載の設備管理システム。
【請求項４】
前記外部操作端末で前記設備機器の操作が行われた場合、
前記設備操作端末の前記表示部に前記外部操作端末の操作内容を表示する
請求項３に記載の設備管理システム。
【請求項５】
前記設備操作端末を複数備え、前記外部操作端末と前記設備操作端末とで各前記設備操作端末での操作項目毎の操作可否の情報を保持する、または、前記外部操作端末を複数備え、前記外部操作端末と前記設備操作端末とで各前記外部操作端末での操作項目毎の操作可否の情報を保持する
請求項１〜４のいずれか一項に記載の設備管理システム。
【請求項６】
前記設備操作端末を複数備えた場合において、
各前記設備操作端末は一意なＩＤを有し、
前記設備操作端末は操作項目毎のパスワードを有し、
前記外部操作端末は、パスワードが入力されたら前記パスワードを前記設備操作端末に送信し、
前記設備操作端末は、前記外部操作端末から前記パスワードを受信したら、操作項目毎の前記パスワードと前記外部操作端末から受信した前記パスワードとの認証を行い、認証が成功したら、認証が成功した前記パスワードに対応する操作項目の操作を許可する信号および自身が有する前記ＩＤを前記外部操作端末に送信し、
前記外部操作端末は、
前記設備操作端末から前記信号および前記ＩＤを受信したら、
前記ＩＤに対応する前記設備操作端末の、前記信号に対応する操作項目の操作を許可する
請求項５に記載の設備管理システム。
【請求項７】
前記外部操作端末を複数備えた場合において、
各前記外部操作端末は一意なＩＤを有し、
前記設備操作端末は操作項目毎のパスワードを有し、
前記外部操作端末は、パスワードが入力されたら前記パスワードおよび自身が有する前記ＩＤを前記設備操作端末に送信し、
前記設備操作端末は、
前記外部操作端末から前記パスワードおよび前記ＩＤを受信したら、操作項目毎の前記パスワードと前記外部操作端末から受信した前記パスワードとの認証を行い、認証が成功したら、前記ＩＤに対応する前記外部操作端末の、認証が成功した前記パスワードに対応する操作項目の操作を許可する
請求項５に記載の設備管理システム。
【発明の詳細な説明】
【技術分野】
【０００１】
本発明は、設備管理システムに関するものである。
【背景技術】
【０００２】
従来、室外機、室内機、および、運転操作や運転表示が可能なリモコンを、それぞれ通信線を介して接続した冷凍空調機と、冷凍空調機に設けられた無線などの通信装置を介して情報の送受信が可能な顧客管理センタと、を備えた凍空調機システムがある（例えば、特許文献１参照）。【０００３】
特許文献１では、顧客管理センタの制御装置は、冷凍空調機から顧客情報を受信すると、顧客情報と冷凍空調機の製品情報とを関連付けて、顧客管理センタの顧客情報データベースに記憶する機能を有する。つまり、特許文献１では、冷凍空調機のリモコンの操作に応じて、顧客管理センタの顧客情報データベースにアクセスする技術が提案されている。
【先行技術文献】
【特許文献】
【０００４】
【特許文献１】特許第４５１４１６５号公報
【発明の概要】
【発明が解決しようとする課題】
【０００５】
特許文献１のような従来の技術では、ユーザーは冷凍空調機などの設備機器に接続されている特定のリモコンなどの設備操作端末にて設備機器の操作を行う必要があった。また、設備機器の操作を行う設備操作端末には外部からアクセスすることができないため、設備操作端末以外からは設備操作端末が保持している設定情報などの情報を操作することができないという課題があった。【０００６】
本発明は、以上のような課題を解決するためになされたもので、操作性を向上させることができる設備管理システムを提供することを目的としている。
【課題を解決するための手段】
【０００７】
本発明に係る設備管理システムは、建物に設置され、操作内容に応じた動作を行う設備機器と、設備側通信部を有し、前記設備機器の操作を行う設備操作端末と、前記設備操作端末と通信を行う外部側通信部を有し、前記設備機器を間接的に操作する外部操作端末と、を備え、前記外部操作端末で前記設備機器の操作が行われた場合、前記外部操作端末は、操作内容を前記設備操作端末に送信し、前記設備操作端末は、前記外部操作端末から受信した操作内容に基づいて前記設備機器を操作するものであり、操作項目毎に操作制限を設ける設備管理システムであって、前記外部操作端末と前記設備操作端末とで操作項目毎の操作可否の情報をそれぞれ保持し、前記外部操作端末で保持している操作項目毎の操作可否の情報と、前記設備操作端末で保持している操作項目毎の操作可否の情報とを同期させるものである。
【発明の効果】
【０００８】
本発明に係る設備管理システムによれば、外部操作端末で設備機器の操作が行われた場合、外部操作端末は、操作内容を設備操作端末に送信し、設備操作端末は、外部操作端末から受信した操作内容に基づいて設備機器を操作する。そのため、特定のリモコンなどの設備操作端末にて設備機器の操作を行わなくても、外部操作端末から設備機器の操作を行うことができる。【０００９】
また、外部操作端末から設備機器の操作を行う設備操作端末にアクセスすることができるため、設備操作端末が保持している設定情報などの情報を操作することもできる。そのため、操作性を向上させることができる。
【図面の簡単な説明】
【００１０】
【図１】本発明の実施の形態に係る設備管理システムの構成例を示す図である。
【図２】図１のデータ記憶部の構成を示すブロック図である。
【図３】図２の運転状態データテーブルの一例を示す図である。
【図４】図２の履歴データテーブルの一例を示す図である。
【図５】図２のリモコン設定情報の一例を示す図である。
【図６】設備操作端末と外部操作端末とが１対１である場合の使用シーンを表す図である。
【図７】外部操作端末での操作項目毎の操作可否を管理するテーブルの一例を示す図である。
【図８】設備操作端末での操作項目毎の操作可否を管理するテーブルの一例を示す図である。
【図９】外部操作端末と設備操作端末とでの操作項目毎の操作可否をチャート式で示した図である。
【図１０】設備操作端末での設備機器の操作と外部操作端末での設備機器の操作とが同時に行われた場合の操作項目毎の操作可否の管理方法の一例をチャート式で示した図である。
【図１１】１台の外部操作端末に対して複数台の設備操作端末が接続された場合の外部操作端末での操作項目毎の操作可否を管理するテーブルの一例を示す図である。
【図１２】１台の設備操作端末に対して複数台の外部操作端末が接続された場合の設備操作端末での操作項目毎の操作可否を管理するテーブルの一例を示す図である。
【発明を実施するための形態】
【００１１】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１２】
実施の形態．
図１は、本発明の実施の形態に係る設備管理システムの構成例を示す図である。
本実施の形態に係る設備管理システムは、図１に示すように、設備操作端末１と、複数台の設備機器２と、外部操作端末３と、を備えている。
【００１３】
設備操作端末１と外部操作端末３とは、無線通信手段５で互いに通信が可能となっており、ユーザーによる外部操作端末３の操作内容は、この無線通信手段５を介して通信され、設備操作端末１に送信される。
なお、本実施の形態では、設備操作端末１と外部操作端末３とは、無線通信手段５で互いに通信が可能な構成としたが、それに限定されず、有線通信手段（図示せず）で互いに通信が可能な構成としてもよい。
【００１４】
また、設備機器２と設備操作端末１とは、専用通信線などの有線通信手段４で互いに通信が可能となっており、ユーザーによる設備操作端末１の操作内容は、この有線通信手段４を介して通信され、設備機器２に送信される。また、外部操作端末３と設備操作端末１とは、設備機器２を介して互いに通信が可能となっており、ユーザーによる外部操作端末３の操作内容は、無線通信手段５を介して設備操作端末１に送信された後、設備操作端末１から有線通信手段４を介して設備機器２に送信される。
【００１５】
設備機器２は、ビル、家屋などの建物に設置され、設備操作端末１または外部操作端末３の操作内容に応じた動作を行う機器であり、例えば、空調機器、照明機器、給湯機器などである。より具体的には、設備機器２の制御部（図示せず）は、停止指令、目標温度の変更指令などの各種指令を設備操作端末１から受信し、受信した指令に従って、自機の運転状態を制御する。
【００１６】
設備操作端末１は、設備機器２の運転操作など各種操作を行う専用端末であり、設備機器２と直接通信を行う。この設備操作端末１は、設備機器２の基本的な機能を操作する一般使用者、設備機器２のメンテナンスを実施するサービスマン、設備機器２を管理する管理者などのユーザーにより操作される。
【００１７】
設備操作端末１は、表示部１０と、制御部１１と、データ記憶部１２と、入力部１３と、通信部１４と、センサ１５とで構成されている。
【００１８】
表示部１０は、液晶表示器などで構成され、制御部１１の制御に基づいて、各設備機器２の運転状態の監視画面、ユーザー操作画面などを表示する。
【００１９】
制御部１１は、ＣＰＵ（Central Processing Unit）、ＲＯＭ（Read Only Memory）、ＲＡＭ（Random Access Memory）などから構成され、当該設備操作端末１全体の制御を行う。また、入力部１３からのユーザーによる操作内容、センサ１５で検知したデータ、通信部１４で受信した設備機器２の運転状態もしくは外部操作端末３でのユーザーによる操作内容を処理し、表示部１０へ表示内容を反映させたり、後述のデータ記憶部１２の各種データテーブルへ情報を反映させたりする。
【００２０】
図２は、図１のデータ記憶部１２の構成を示すブロック図であり、図３は、図２の運転状態データテーブル１２０の一例を示す図であり、図４は、図２の履歴データテーブル１２１の一例を示す図であり、図５は、図２のリモコン設定情報１２２の一例を示す図である。
データ記憶部１２には、図２に示すように、大別すると、運転状態データテーブル１２０と、履歴データテーブル１２１と、リモコン設定情報１２２とが記憶されている。
【００２１】
なお、データ記憶部１２に保存されている各種データは全てのユーザーが操作できるものではなく、設備操作端末１で保持している任意のパスワードにより操作制限が設けられている。さらに、操作項目毎にパスワードが設けられており、操作項目毎に操作制限が設けられている。
【００２２】
運転状態データテーブル１２０には、図３に示すように、一般使用者が操作および監視することができる各種情報が格納される。より具体的には、各設備機器２についての現在の運転状態に関する情報などが格納される。例えば、設備機器２毎に付与された番号、運転／停止情報、運転モード、設定温度などの設定情報、室温および機器内部の各部温度などの温度情報、湿度情報、ＣＯ２濃度情報である。
【００２３】
履歴データテーブル１２１には、図４に示すように、サービスマンなど設備管理システムのメンテナンス実施者が確認するための情報が格納される。より具体的には、各設備機器２の運転履歴、操作履歴、異常履歴、センサ検出値などを一定時間間隔で抽出したトレンドデータなどが格納される。
【００２４】
リモコン設定情報１２２には、図５に示すように、設備管理システムの設備管理者が設定および確認するための情報が格納される。より具体的には、設備機器２を任意の時間に制御するためのスケジュール、タイマー機能、設備機器２から得られる情報の表示方法などを設定する表示設定などが格納される。
【００２５】
入力部１３は、設備操作端末１に設けられた操作ボタン、タッチパネル、マウス、キーボードなどから構成され、ユーザーの入力操作を直接受け付ける処理を行う。例えば、タッチパネルを採用する場合、静電容量の変化を検出する透明な平板状の静電容量センサが、表示部１０に重ねて実装される。
【００２６】
この静電容量センサにより、ユーザーにとっては表示部１０の表示画面であるタッチ面に、ユーザーの指先または専用のペンなどの接触、つまり押圧が検出されると、その位置情報である座標データが制御部１１に出力される。そして、制御部１１は、その座標データに基づいて、ユーザーの操作内容を判別する。
【００２７】
上記のようにして、管理者などのユーザーが入力部１３を介して入力操作を行うと、その操作内容に応じた信号が制御部１１に出力される。なお、操作対象としては、上記データ記憶部１２に記載の各種データテーブルの内容と同等である。
【００２８】
通信部１４は、特に図示はしていないが、所定の通信インターフェースで構成され、制御部１１の制御に基づいて、ユーザーからの操作内容、設備機器２の運転状態のモニタなど、有線通信手段４を介したデータ通信を行う。また、通信部１４は、設備側通信部１４０を備えており、外部操作端末３と無線通信手段５を介してデータを送受信する機能を有する。
【００２９】
センサ１５は、計測対象を計測するセンサである。例えば、温度センサ、湿度センサ、ＣＯ２センサ、照度センサ、人感センサなどが挙げられる。
【００３０】
外部操作端末３は、携帯電話およびスマートフォンなどの持ち運び可能な汎用端末であり、設備操作端末１と無線通信手段５を介してデータを送受信する機能を有し、設備操作端末１を介して設備機器２を間接的に操作する。この外部操作端末３は、設備操作端末１と同様に、設備機器２の基本的な機能を操作する一般使用者、設備機器２のメンテナンスを実施するサービスマン、設備機器２を管理する管理者などのユーザーにより操作される。
【００３１】
外部操作端末３は、図１に示すように、通信部３０と、表示部３１と、入力部３２と、制御部３３と、データ記憶部３４とで構成されている。
【００３２】
通信部３０は、外部側通信部３００を備えており、設備操作端末１と無線通信手段５を介してデータを送受信する機能を有する。なお、送受信するデータは具体的には、後述のデータ記憶部３４に保存されている設定データである。
【００３３】
ここで、通信部１４の設備側通信部１４０および通信部３０の外部側通信部３００に係る無線通信手段５には、Ｗｉ-Ｆｉ（登録商標）、ＢＬＥを含むＢｌｕｅｔｏｏｔｈ（登録商標）、帯域特定小電力無線などが挙げられる。
【００３４】
表示部３１は、液晶表示器などで構成され、制御部３３の制御に基づいて、設備操作端末１から受信したデータ、ユーザー操作画面などを表示する。
【００３５】
入力部３２は、外部操作端末３に設けられた操作ボタン、タッチパネルなどから構成され、ユーザーの入力操作を直接受け付ける処理を行う。例えば、タッチパネルを採用する場合、静電容量の変化を検出する透明な平板状の静電容量センサが、表示部３１に重ねて実装される。
【００３６】
この静電容量センサにより、ユーザーにとっては表示部３１の表示画面であるタッチ面に、ユーザーの指先または専用のペンなどの接触、つまり押圧が検出されると、その位置情報である座標データが制御部３３に出力される。そして、制御部３３は、その座標データに基づいて、ユーザーの操作内容を判別する。
【００３７】
上記のようにして、管理者などのユーザーが入力部３２を介して入力操作を行うと、その操作内容に応じた信号が制御部３３に出力される。なお、操作対象としては、下記データ記憶部３４に記載の各種データテーブルの内容と同等である。
【００３８】
制御部３３は、ＣＰＵ（Central Processing Unit）、ＲＯＭ（Read Only Memory）、ＲＡＭ（Random Access Memory）などから構成され、当該外部操作端末３全体の制御を行う。また、外部操作端末３がスマートフォンの場合、スマートフォン上で実行可能なアプリケーションプログラムを実行し、入力部３２でのユーザーによる操作に応じて設備操作端末１へ操作内容を送信したり、通信部３０で受信した設備操作端末１からの各種情報を処理し、表示部３１へ表示内容を反映させたり、後述のデータ記憶部３４の各種データテーブルへ情報を反映させたりする。
【００３９】
データ記憶部３４には、前述のデータ記憶部１２と同様に、図２に示すように、運転状態データテーブル１２０と、履歴データテーブル１２１と、リモコン設定情報１２２とが記憶されている。また、データ記憶部３４には、設備操作端末１と通信を行い、設備機器２を操作するためのプログラムが記憶されている。
【００４０】
また、データ記憶部３４には、別のユーザーが保持している外部操作端末３に記憶されているデータを、メールなどを用いて転送する場合に、そのデータを保存、上記アプリケーションプログラム上で管理、編集したり、外部操作端末３毎にデータを管理したりすることができる。
【００４１】
図６は、設備操作端末１と外部操作端末３とが１対１である場合の使用シーンを表す図である。
図６に示すような、設備操作端末１と外部操作端末３とが１対１である場合の使用シーンを考える。外部操作端末３から設備機器２の操作が行えるようにするためには、まずは外部操作端末３を設備操作端末１と接続させる必要がある。ここで、外部操作端末３と設備操作端末１との接続には、パスコード認証が行われる。そのため、ユーザーは接続用のパスコードを外部操作端末３に入力し、設備操作端末１に接続要求とともに送信する。
【００４２】
設備操作端末１では、外部操作端末３から接続要求を受信したら、受信したパスコードが自身の保持しているパスコードと合致するかどうかを判定し、合致した場合は接続許可応答を外部操作端末３に送信する。そして、外部操作端末３は、接続許可応答を受信したら、表示部３１に設備操作端末１と接続されたことを表示することで、外部操作端末３のユーザーに、設備操作端末１と接続されことを知らせることができる。
【００４３】
同様に、設備操作端末１でも表示部１０に外部操作端末３と接続されたことを表示することで、設備操作端末１付近にいる別のユーザーに、外部操作端末３と接続されたことを知らせることができる。
なお、表示方法としては、接続完了のダイアログを表示したり、無線通信中であることを意味するアイコンを表示したりすることが考えられる。
【００４４】
さらに、外部操作端末３で設備機器２の操作が行われた場合、外部操作端末３の表示部３１に加え、設備操作端末１の表示部１０にも外部操作端末３の操作内容を表示する。そうすることにより、別のユーザーが設備操作端末１を操作していないにも関わらず、設備機器２に外部操作端末３の操作内容が自動的に反映されても、別のユーザーに対して不要な心配をかけることを防止することができる。
【００４５】
また、設備操作端末１と外部操作端末３とが接続状態である時、ユーザーは外部操作端末３上で実行されるアプリケーション上から、上記データ記憶部３４に保存されている各種データを操作することにより、設備操作端末１にそのデータを送信することができる。
【００４６】
ここで、上記の通り、設備操作端末１のデータ記憶部１２に保存されている各種データは、設備操作端末１で保持している任意のパスワードにより操作制限が設けられており、さらに、操作項目毎にパスワードが設けられており、操作項目毎に操作制限が設けられている。
【００４７】
そのため、外部操作端末３は、前述の通り、一般使用者、サービスマン、管理者などのユーザーにより操作されることが考えられるが、外部操作端末３側で、データ記憶部３４の全てのデータを操作できてしまうと、設備操作端末１側のパスワードによる操作制限と齟齬が生じてしまい、設備管理システムの信頼性が失われてしまう。そこで、外部操作端末３側でも同様に、任意のパスワードにより操作制限を設け、さらに、操作項目毎に操作制限を設けることにより、設備操作端末１と外部操作端末３とでの制約を合わせる。
【００４８】
なお、本実施の形態では、外部操作端末３と設備操作端末１との接続には、パスコード認証を行うとしたが、パスワード認証としてもよい。また、設備操作端末１および外部操作端末３でパスワード認証により操作制限を設けているが、パスコード認証により操作制限を設けてもよい。
【００４９】
ユーザーは、外部操作端末３から一般用パスワード、サービス用パスワード、または管理者用パスワードを入力し、無線通信手段５により設備操作端末１にパスワードを送信する。設備操作端末１では、外部操作端末３からパスワードを受信したら、設備操作端末１で保持している任意のパスワードとの認証を行う。そして、外部操作端末３から入力されたパスワードと設備操作端末１で保持している任意のパスワードとが合致した場合は、外部操作端末３のアプリケーション上での各種データの操作を許可する。
【００５０】
図７は、外部操作端末３での操作項目毎の操作可否を管理するテーブル（以下、外部側管理テーブルと称する）の一例を示す図であり、図８は、設備操作端末１での操作項目毎の操作可否を管理するテーブル（以下、設備側管理テーブルと称する）の一例を示す図であり、図９は、外部操作端末３と設備操作端末１とでの操作項目毎の操作可否をチャート式で示した図である。
【００５１】
図７および図９に、外部操作端末３での操作項目毎の操作可否を管理する例を示す。なお、操作項目を一般操作、サービス操作、管理操作の３つとし、操作許可を１、操作不可を０とする。
パスワード認証にて外部操作端末３から入力されたパスワードと設備操作端末１で保持している一般用パスワードとが合致する場合には、設備操作端末１から外部操作端末３に一般用操作許可応答が送信される。そして、外部操作端末３は、一般用操作許可応答を受信したら、外部側管理テーブルの一般操作の項目に１をセットし、外部操作端末３のアプリケーション上での各種データ操作を許可する。
【００５２】
なお、本実施の形態では、外部操作端末３から入力されたパスワードと設備操作端末１に保存されている一般用パスワードとが合致する場合について記載したが、サービス用パスワードおよび管理者用パスワードの場合についても同様である。
【００５３】
一方、外部操作端末３から入力されたパスワードと設備操作端末１で保持しているいずれのパスワードとも合致しない場合には、設備操作端末１から外部操作端末３に操作不可応答が送信される。そして、外部操作端末３は、操作不可応答を受信したら、外部側管理テーブルの全ての操作項目に０をセットし、外部操作端末３のアプリケーション上での各種データ操作を許可しない。このように、外部操作端末３側で操作項目毎の操作可否の情報を保持し、管理する。
【００５４】
図８および図９に、設備操作端末１での操作項目毎の操作可否を管理する例を示す。
なお、操作項目を一般操作、サービス操作、管理操作、外部操作ロックの４つとし、操作許可を１、操作不可を０とする。
設備操作端末１でも同様に、外部操作端末３からのデータ操作可否の情報を保持する。
パスワード認証にて外部操作端末３から入力されたパスワードと設備操作端末１で保持している一般用パスワードとが合致する場合には、設備操作端末１は、設備側管理テーブルに１をセットする。
【００５５】
一方、外部操作端末３から入力されたパスワードと設備操作端末１で保持しているパスワードとが合致しない場合には、設備操作端末１は、設備側管理テーブルに０をセットする。このように、設備操作端末１側でも操作項目毎の操作可否の情報を保持し、管理する。
【００５６】
そして、外部操作端末３側で保持している操作項目毎の操作可否の情報と、設備操作端末１側で保持している操作項目毎の操作可否の情報とを同期させることにより、セキュリティレベルを向上させることができる。
【００５７】
なお、各操作項目の操作可否について、セキュリティを考慮し、図９に示すように、設備操作端末１と外部操作端末３とが接続されてからの時間を計測する。そして、外部操作端末３からの設備機器２の操作が一定の期間ない場合には、全ての操作項目を０にセットし、パスワード認証を最初からやり直すようにしてもよい。
【００５８】
図１０は、設備操作端末１での設備機器２の操作と外部操作端末３での設備機器２の操作とが同時に行われた場合の操作項目毎の操作可否の管理方法の一例をチャート式で示した図である。
【００５９】
ここで、図６に示すような、設備操作端末１と外部操作端末３とが１対１である場合の設備管理システムにおいて、設備操作端末１でユーザーが操作すると同時に、外部操作端末３で別のユーザーが操作する場合を考える。より具体的には、設備操作端末１側でユーザーがスケジュール、タイマーなどのリモコン設定情報１２２を編集もしくは保存している時に、同時に外部操作端末３側で別のユーザーが同様の操作を行って設定データを更新する場合には、設備操作端末１と外部操作端末３とでの操作内容に齟齬が生じる場合が考えられる。
【００６０】
そこで、設備操作端末１と外部操作端末３との間で優先順位を設定する。そして、設備操作端末１での設備機器２の操作と外部操作端末３での設備機器２の操作とが同時に行われた場合、設備操作端末１側での操作内容を外部操作端末３側での操作内容よりも優先させることにより、設定データの齟齬を防止することができる。
【００６１】
設備操作端末１側での操作内容を優先させるために、設備操作端末１は、ユーザーにより操作されている間は、図１０に示すように、設備側管理テーブルの外部操作ロックという操作項目に１をセットし、外部操作ロックに１がセットされている間は、外部操作端末３の操作を受け付けない。そうすることで、外部操作端末３の操作を不可とすることができる。
【００６２】
なお、外部操作ロックに１がセットされている間は、外部操作端末３の表示部３１に操作不可であることを表示させてもよく、そうすることで、外部操作端末３のユーザーに対して操作不可であることを知らせることができる。
【００６３】
図１１は、１台の外部操作端末３に対して複数台の設備操作端末１が接続された場合の外部操作端末３での操作項目毎の操作可否を管理するテーブルの一例を示す図であり、図１２は、１台の設備操作端末１に対して複数台の外部操作端末３が接続された場合の設備操作端末１での操作項目毎の操作可否を管理するテーブルの一例を示す図である。
図１１に示すように、１台の外部操作端末３に対して複数台の設備操作端末１が接続された場合には、外部側管理テーブルの領域を増やして、外部操作端末３側と設備操作端末１側とで、各設備操作端末１での操作項目毎の操作可否の情報を保持し、管理する。
【００６４】
なお、複数台の設備操作端末１の識別は、設備操作端末１毎に付与される一意なＩＤによって行う。より具体的には、設備操作端末１でのパスワード認証にて外部操作端末３から入力されたパスワードと設備操作端末１に保存されている一般用パスワードとが合致する場合には、設備操作端末１から外部操作端末３に一般用操作許可応答とともにＩＤが送信される。
【００６５】
そして、外部操作端末３は、一般用操作許可応答とともにＩＤを受信したら、外部側管理テーブルの受信したＩＤに対応する外部操作端末３の一般操作の項目に１をセットし、外部操作端末３のアプリケーション上での各種データ操作を許可する。そうすることで、設備操作端末１と外部操作端末３とが１対１である場合の設備管理システムと同等に信頼性を確保することができる。
【００６６】
同様に、図１２に示すように、１台の設備操作端末１に対して複数台の外部操作端末３が接続された場合には、設備側管理テーブルの領域を増やして、外部操作端末３側と設備操作端末１側とで、各外部操作端末３での操作項目毎の操作可否の情報を保持し、管理する。
【００６７】
なお、複数台の外部操作端末３の識別は、外部操作端末３毎に付与される一意なＩＤによって行う。より具体的には、外部操作端末３から、無線通信手段５を介して設備操作端末１にパスワードとともにＩＤを送信する。設備操作端末１では、外部操作端末３からパスワードとともにＩＤを受信したら、設備操作端末１に保存されている任意のパスワードとの認証を行うとともに、設備操作端末１に保存されているＩＤにより外部操作端末３の識別を行う。
【００６８】
そして、外部操作端末３から入力されたパスワードと設備操作端末１に保存されている任意のパスワードとが合致した場合は、識別した外部操作端末３のアプリケーション上での各種データの操作を許可する。そうすることで、設備操作端末１と外部操作端末３とが１対１である場合の設備管理システムと同等に信頼性を確保することができる。
【００６９】
以上、本実施の形態に係る設備管理システムによれば、外部操作端末３で設備機器２の操作が行われた場合、外部操作端末３は、操作内容を設備操作端末１に送信し、設備操作端末１は、外部操作端末３から受信した操作内容に基づいて設備機器２を操作する。そのため、特定のリモコンなどの設備操作端末１にて設備機器２の操作を行わなくても、外部操作端末３から設備機器２の操作を行うことができる。
【００７０】
また、外部操作端末３から設備機器２と直接通信を行う設備操作端末１にアクセスすることができるため、設備操作端末１が保持している設定情報などの情報を操作することもできる。そのため、操作性を向上させることができる。
【００７１】
また、設備操作端末１と外部操作端末３との間で優先順位を設定し、設備操作端末１での設備機器２の操作と外部操作端末３での設備機器２の操作とが同時に行われた場合、設備操作端末１側での操作内容を外部操作端末３側での操作内容よりも優先させる。つまり、設備操作端末１は、入力部１３から入力操作を受け付けている間、外部操作端末３の操作を受け付けない。そうすることにより、設定データの齟齬を防止することができる。
【００７２】
また、外部操作端末３が設備操作端末１と接続された場合に、外部操作端末３の表示部３１に設備操作端末１と接続されたことを表示するとともに、設備操作端末１でも表示部１０に外部操作端末３と接続されたことを表示する。そうすることで、外部操作端末３のユーザーおよび設備操作端末１付近にいる別のユーザーに、外部操作端末３が設備操作端末１と接続されことを知らせることができる。
【００７３】
さらに、外部操作端末３から設備機器２の操作が行われた場合、外部操作端末３の表示部３１に加え、設備操作端末１の表示部１０にも外部操作端末３の操作内容を表示する。そうすることにより、別のユーザーが設備操作端末１を操作していないにも関わらず、設備機器２に外部操作端末３の操作内容が自動的に反映されても、別のユーザーに対して不要な心配をかけることを防止することができる。
【００７４】
また、操作項目毎に操作制限を設けることができる場合において、外部操作端末３側と設備操作端末１側とで操作項目毎の操作可否の情報をそれぞれ保持し、外部操作端末３側で保持している操作項目毎の操作可否の情報と、設備操作端末１側で保持している操作項目毎の操作可否の情報とを同期させることにより、セキュリティレベルを向上させることができる。
【００７５】
また、１台の外部操作端末３に対して複数台の設備操作端末１が接続された場合には、外部側管理テーブルの領域を増やして、外部操作端末３側と設備操作端末１側とで、各設備操作端末１での操作項目毎の操作可否の情報を保持し、管理する。そうすることで、設備操作端末１と外部操作端末３とが１対１である場合の設備管理システムと同等に信頼性を確保することができる。
【００７６】
同様に、１台の設備操作端末１に対して複数台の外部操作端末３が接続された場合には、設備側管理テーブルの領域を増やして、外部操作端末３側と設備操作端末１側とで、各外部操作端末３での操作項目毎の操作可否の情報を保持し、管理する。そうすることで、設備操作端末１と外部操作端末３とが１対１である場合の設備管理システムと同等に信頼性を確保することができる。
【符号の説明】
【００７７】
１  設備操作端末、２  設備機器、３  外部操作端末、４  有線通信手段、５  無線通信手段、１０  表示部、１１  制御部、１２  データ記憶部、１３  入力部、１４  通信部、１５  センサ、３０  通信部、３１  表示部、３２  入力部、３３  制御部、３４  データ記憶部、１２０  運転状態データテーブル、１２１  履歴データテーブル、１２２  リモコン設定情報、１４０  設備側通信部、３００  外部側通信部。
【図１】
0006602485.tif 000002
【図２】
0006602485.tif 000003
【図３】
0006602485.tif 000004
【図４】
0006602485.tif 000005
【図５】
0006602485.tif 000006
【図６】
0006602485.tif 000007
【図７】
0006602485.tif 000008
【図８】
0006602485.tif 000009
【図９】
0006602485.tif 000010
【図１０】
0006602485.tif 000011
【図１１】
0006602485.tif 000012
【図１２】
0006602485.tif 000013